(57)【要約】      （修正有）【課題】各端末局装置に、より適切なチャネル割り当てを決定することを可能とする基地局装置を提供する。【解決手段】基地局装置２００は、各チャネルの周波数と受信品質情報とに基づいて、複数のチャネルの中から前記各端末局装置への通信に割り当てるチャネルを決定するスケジューリング部を備え、スケジューリング部は、前記各チャネルの周波数に基づいて前記各端末局装置の各チャネルの割り当て優先度を決定し、前記各端末局装置の前記受信品質情報と前記割り当て優先度とに基づいて前記複数のチャネルの中から前記各端末局装置への通信に割り当てるチャネルを決定する。【選択図】図２
2010098525.tif 000002
【特許請求の範囲】
【請求項１】
複数の端末局装置に対して、複数の周波数に配置された複数のチャネルの中からチャネルを割り当てて通信を行う基地局装置であって、
前記複数のチャネルの一部または全部における受信品質を表す受信品質情報を前記各端末局装置から受信する無線受信部と、
各チャネルの周波数と前記受信品質情報とに基づいて、前記複数のチャネルの中から前記各端末局装置への通信に割り当てるチャネルを決定するスケジューリング部と
を備えることを特徴とする基地局装置。
【請求項２】
前記スケジューリング部は、
前記各チャネルの周波数に基づいて前記各端末局装置の各チャネルの割り当て優先度を決定し、前記各端末局装置の前記受信品質情報と前記割り当て優先度とに基づいて前記複数のチャネルの中から前記各端末局装置への通信に割り当てるチャネルを決定することを特徴とする請求項１に記載の基地局装置。
【請求項３】
前記スケジューリング部は、
周波数の近接する複数のチャネルをグループ化し、前記グループ毎に前記割り当て優先度を決定することを特徴とする請求項２に記載の基地局装置。
【請求項４】
前記スケジューリング部は、
低い方の周波数に配置されたチャネルまたはチャネルのグループの前記割り当て優先度を、高い方の周波数に配置されたチャネルまたはチャネルのグループの前記割り当て優先度より高く設定することを特徴とする請求項２または３に記載の基地局装置。
【請求項５】
さらに、前記各端末局装置の移動速度を測定する移動速度測定部を備え、
前記スケジューリング部は、さらに前記移動速度測定結果に基づいて前記各端末局装置の各チャネルの割り当て優先度を決定することを特徴とする請求項２から４までのいずれか１項に記載の基地局装置。
【請求項６】
前記スケジューリング部は、
前記移動速度測定結果が第１の閾値以下、または前記第１の閾値より大きな第２の閾値以上である場合、前記割り当て優先度を全チャネルで等しくすることを特徴とする請求項５に記載の基地局装置。
【請求項７】
前記スケジューリング部は、
さらに前記各端末局装置に前回割り当てたチャネルまたは前記割り当てたチャネルの属するグループの前記割り当て優先度を高く設定することを特徴とする請求項２から６までのいずれか１項に記載の基地局装置。
【請求項８】
前記スケジューリング部は、
前記割り当て優先度に基づいて各チャネルの重み係数を算出して前記各チャネルの受信品質情報が表す受信品質に乗算し、前記乗算結果に基づいて前記複数のチャネルの中から前記各端末局装置へ割り当てるチャネルを決定することを特徴とする請求項２から７までのいずれか１項に記載の基地局装置。
【請求項９】
複数の端末局装置に対して、複数の周波数に配置された複数のチャネルの中からチャネルを割り当てて複数の送信アンテナを用いて通信を行う基地局装置であって、
前記複数のチャネルの一部または全部における受信品質を表す受信品質情報を前記各端末局装置から受信する無線受信部と、
前記複数の送信アンテナを用いた送信モードの種類、各チャネルの周波数、および前記受信品質情報に基づいて前記複数のチャネルの中から前記各端末局装置への通信に割り当てるチャネルを決定するスケジューリング部と
を備えることを特徴とする基地局装置。
【請求項１０】
前記スケジューリング部は、
前記送信モードが送信ダイバーシチの端末局装置について、前記周波数の低いチャネルの中から前記端末局装置に割り当てるチャネルの数を多くすることを特徴とする請求項９に記載の基地局装置。
【請求項１１】
前記スケジューリング部は、
前記送信モードがＭＩＭＯの端末局装置について、前記周波数の高いチャネルの中から前記端末局装置に割り当てるチャネルの数を多くすることを特徴とする請求項９に記載の基地局装置。
【請求項１２】
複数の周波数に配置された複数のチャネルを用いて基地局装置から端末局装置への通信を行う通信システムであって、
前記基地局装置は、
前記複数のチャネルの一部または全部における受信品質を表す受信品質情報を前記各端末局装置から受信する無線受信部と、
各チャネルの周波数と前記受信品質情報に基づいて前記複数のチャネルの中から前記各端末局装置へ割り当てるチャネルを決定するスケジューリング部とを備え、
前記端末局装置は、
前記複数のチャネルの受信品質を測定する受信品質測定部と、
前記複数のチャネルの一部または全部における前記受信品質測定結果を表す受信品質情報を生成する受信品質情報生成部と、
前記受信品質情報を前記基地局装置へ送信する無線送信部とを備える
ことを特徴とする通信システム。
【請求項１３】
複数の周波数に配置された複数のチャネルを用いて基地局装置から端末局装置への通信を行う通信方法であって、
前記基地局装置は、
前記複数のチャネルの一部または全部における受信品質を表す受信品質情報を前記各端末局装置から受信するステップと、
各チャネルの周波数と前記受信品質情報に基づいて前記複数のチャネルの中から前記各端末局装置へ割り当てるチャネルを決定するステップとを有し、
前記端末局装置は、
前記複数のチャネルの受信品質を測定するステップと、
前記複数のチャネルの一部または全部における前記受信品質測定結果を表す受信品質情報を生成するステップと、
前記受信品質情報を前記基地局装置へ送信するステップと、を有することを特徴とする通信方法。
【請求項１４】
請求項１３に記載の方法をコンピュータに実行させるためのプログラム。
【請求項１５】
請求項１４に記載のプログラムを記録するコンピュータ読みとり可能な記録媒体。
【発明の詳細な説明】
【技術分野】
【０００１】
本発明は、端末局装置が測定した各チャネルの受信品質に基づいて、各端末局装置へのチャネルの割り当てを決定する基地局装置および通信システムに関する。
【背景技術】
【０００２】
通信の効率（システムのトータルスループットや、受信エラーの発生を勘案した実質的な伝送速度）を改善する方法として、受信信号電力やＳＩＮＲ（Signal to Interference plus Noise power Ratio：受信信号電力対干渉および雑音電力比）等の伝搬路状態及び受信品質を示す指標を基に、変調方式や、チャネル符号化率、誤り訂正符号化方式、拡散率、コード多重数、送信電力等の通信パラメータを、適応的に選択する方式が提案されている（下記非特許文献１参照）。特に、変調方式やチャネル符号化率などの変調パラメータを適応的に選択する方式は適応変調方式と呼ばれている。
【０００３】
また、基地局装置と複数の端末局装置とから構成され、基地局装置から端末局装置への通信（下りリンク）においてマルチキャリア通信を用いる通信システムでは、
下りリンク信号の各端末局装置における各チャネルの受信品質に応じて、チャネルを各端末局装置に割り当てるスケジューリングを行う。
【０００４】
さらに下りリンクに対して、１つのサブキャリアまたは幾つかのサブキャリアからなるチャネル毎に、適応変調を行う方式が検討されている（下記非特許文献１、非特許文献２参照）。
【０００５】
尚、端末局装置の受信品質に基づいたスケジューリングや適応変調方式を採用した通信システムでは、割り当てや変調パラメータを決定するために、通信に使用するチャネルの受信信号電力やＳＩＮＲ等の伝搬路状態および受信品質を示す指標を通信相手に通知する必要がある。
【０００６】
また、次世代の通信方式では、より高速な通信を実現するために、広い周波数帯域を用いて通信を行うことが考えられている。しかし、既存の他のシステムが使用している周波数帯域を避けなければならないため、連続で広い周波数帯域を割り当てることが難しい。そのため、不連続に配置された周波数帯域を集めて１つのシステムで利用する周波数アグリゲーション（Spectrum aggregation）技術が提案されている（下記非特許文献３参照）。
【０００７】
【非特許文献１】岸山他「下りリンクＶＳＦ−ＯＦＣＤＭブロードバンド無線アクセスにおける適応変復調・チャネル符号化のスループット特性の実験結果」、電子情報通信学会技術研究報告、２００３年５月、ＲＣＳ２００３−２５
【非特許文献２】前原他「サブキャリア適応変調を用いたＯＦＤＭ／ＴＤＤ伝送方式の検討」、２００１年電子情報通信学会総合大会、２００１年３月、Ｂ−５−１００、ｐ．４９８
【非特許文献３】「ＬＴＥ−Ａｄｖａｎｃｅｄ  −  ＬＴＥ  ｅｖｏｌｕｔｉｏｎ  ｔｏｗａｒｄｓ  ＩＭＴ−Ａｄｖａｎｃｅｄ」、３ＧＰＰ、Ｗｏｒｋｓｈｏｐ、ＩＭＴ−Ａｄｖａｎｃｅｄ、ＲＥＶ−０８００３０、２００８年４月
【発明の開示】
【発明が解決しようとする課題】
【０００８】
しかしながら、複数の周波数帯域を集めて利用する場合、各周波数帯域における伝搬路の変動速度がそれぞれ異なる。このため、これら複数の周波数帯域に配置されたチャネルから各端末局装置へ割り当てるチャネルを決定する際に、各周波数帯域に対して同一の基準を用いてチャネルの割り当てを行うことは適切ではなかった。
【０００９】
本発明は、各端末局装置から報告された受信品質情報に基づいて、基地局装置が複数の周波数帯域に配置されたチャネルから各端末局装置へのチャネルの割り当てを決定する際に、より適切なチャネル割り当てを決定することを可能とする基地局装置および通信システムを提供することを目的とする。
【課題を解決するための手段】
【００１０】
本発明の一観点によれば、複数の端末局装置に対して、複数の周波数に配置された複数のチャネルの中からチャネルを割り当てて通信を行う基地局装置であって、前記複数のチャネルの一部または全部における受信品質を表す受信品質情報を前記各端末局装置から受信する無線受信部と、各チャネルの周波数と前記受信品質情報とに基づいて、前記複数のチャネルの中から前記各端末局装置への通信に割り当てるチャネルを決定するスケジューリング部と
を備えることを特徴とする基地局装置が提供される。
【００１１】
前記スケジューリング部は、前記各チャネルの周波数に基づいて前記各端末局装置の各チャネルの割り当て優先度を決定し、前記各端末局装置の前記受信品質情報と前記割り当て優先度とに基づいて前記複数のチャネルの中から前記各端末局装置への通信に割り当てるチャネルを決定することが好ましい。ここで、各チャネルの受信品質測定結果と前記選択優先度とに基づいて、受信品質が良く、優先度の高いチャネルを選択する。
【００１２】
前記スケジューリング部は、周波数の近接する複数のチャネルをグループ化し、前記グループ毎に前記割り当て優先度を決定することが好ましい。
【００１３】
また、前記スケジューリング部は、低い方の周波数に配置されたチャネルまたはチャネルのグループの前記割り当て優先度を、高い方の周波数に配置されたチャネルまたはチャネルのグループの前記割り当て優先度より高く設定することが好ましい。
さらに、前記各端末局装置の移動速度を測定する移動速度測定部を備え、前記スケジューリング部は、さらに前記移動速度測定結果に基づいて前記各端末局装置の各チャネルの割り当て優先度を決定することが好ましい。
【００１４】
前記スケジューリング部は、前記移動速度測定結果が第１の閾値以下、または前記第１の閾値より大きな第２の閾値以上である場合、前記割り当て優先度を全チャネルで等しくすることが好ましい。
【００１５】
前記スケジューリング部は、さらに前記各端末局装置に前回割り当てたチャネルまたは前記割り当てたチャネルの属するグループの前記割り当て優先度を高く設定することが好ましい。尚、前回割り当てたチャネルとは、今まで（現在）割り当てられている値という意味であり、前のフレームなどの直前のスケジューリング結果を表すものである。
【００１６】
前記スケジューリング部は、前記割り当て優先度に基づいて各チャネルの重み係数を算出して前記各チャネルの受信品質情報が表す受信品質に乗算し、前記乗算結果に基づいて前記複数のチャネルの中から前記各端末局装置へ割り当てるチャネルを決定することが好ましい。
【００１７】
また、複数の端末局装置に対して、複数の周波数に配置された複数のチャネルの中からチャネルを割り当てて複数の送信アンテナを用いて通信を行う基地局装置であって、前記複数のチャネルの一部または全部における受信品質を表す受信品質情報を前記各端末局装置から受信する無線受信部と、前記複数の送信アンテナを用いた送信モードの種類、各チャネルの周波数、および前記受信品質情報に基づいて前記複数のチャネルの中から前記各端末局装置への通信に割り当てるチャネルを決定するスケジューリング部と、を備えることを特徴とする端末局装置が提供される。
【００１８】
前記スケジューリング部は、前記送信モードが送信ダイバーシチの端末局装置について、前記周波数の低いチャネルの中から前記端末局装置に割り当てるチャネルの数を多くすることが好ましい。
【００１９】
前記スケジューリング部は、前記送信モードがＭＩＭＯの端末局装置について、前記周波数の高いチャネルの中から前記端末局装置に割り当てるチャネルの数を多くすることが好ましい。
【００２０】
また、複数の周波数に配置された複数のチャネルを用いて基地局装置から端末局装置への通信を行う通信システムであって、前記基地局装置は、前記複数のチャネルの一部または全部における受信品質を表す受信品質情報を前記各端末局装置から受信する無線受信部と、各チャネルの周波数と前記受信品質情報に基づいて前記複数のチャネルの中から前記各端末局装置へ割り当てるチャネルを決定するスケジューリング部とを備え、前記端末局装置は、前記複数のチャネルの受信品質を測定する受信品質測定部と、前記複数のチャネルの一部または全部における前記受信品質測定結果を表す受信品質情報を生成する受信品質情報生成部と、前記受信品質情報を前記基地局装置へ送信する無線送信部とを備えることを特徴とする通信システムが提供される。
【００２１】
本発明の他の観点によれば、複数の周波数に配置された複数のチャネルを用いて基地局装置から端末局装置への通信を行う通信方法であって、前記基地局装置は、前記複数のチャネルの一部または全部における受信品質を表す受信品質情報を前記各端末局装置から受信するステップと、各チャネルの周波数と前記受信品質情報に基づいて前記複数のチャネルの中から前記各端末局装置へ割り当てるチャネルを決定するステップとを有し、前記端末局装置は、前記複数のチャネルの受信品質を測定するステップと、前記複数のチャネルの一部または全部における前記受信品質測定結果を表す受信品質情報を生成するステップと、前記受信品質情報を前記基地局装置へ送信するステップとを有することを特徴とする通信方法が提供される。
【００２２】
本発明は、上記に記載の方法をコンピュータに実行させるためのプログラムであっても良く、該プログラムを記録するコンピュータ読みとり可能な記録媒体であっても良い。このプログラムは、インターネットなどの伝送媒体によって取得されるものであっても良い。
【発明の効果】
【００２３】
本発明によれば、各端末局装置から報告された受信品質情報に基づいて、基地局装置が複数の周波数帯域に配置されたチャネルから各端末局装置へのチャネルの割り当てを決定する際に、より適切なチャネル割り当てを決定することを可能とする基地局装置および通信システムを提供することができる。
【発明を実施するための最良の形態】
【００２４】
以下に、基地局装置から端末局装置への下りリンクの通信に、直交周波数分割多重（Orthogonal Frequency Division Multiplex。以下ＯＦＤＭと記す）を用いた多元接続方式である直交周波数分割多元接続（Orthogonal Frequency Division Multiple Access。以下ＯＦＤＭＡと記す）システムを採用し、少なくとも１つのサブキャリアからなるチャネル毎に適応スケジューリング（各端末局装置に対するチャネルの割り当て）を行うセルラーシステムにおいて、複数のチャネルから構成される周波数帯域を複数個集めて通信を行う周波数アグリゲーション方式を適用したシステムについて、本発明を適用した例を挙げて説明する。
【００２５】
尚、以下の各実施の形態の説明では、受信品質情報としてパイロットシンボルに基づき算出した指標、例えば、ＳＩＮＲ（Signal to Interference plus Noise power Ratio：受信信号電力対干渉および雑音電力比）を用いるものとして説明する。
【００２６】
［第１の実施の形態］
図１は、本発明の第１の実施の形態における通信技術における、下りリンクのチャネルの周波数配置の一例を示した図である。図１においては、下りリンクのチャネルは、周波数の離れた複数の搬送波で伝送される複数の周波数帯域を下りリンクの通信に使用し、各周波数帯域は複数のチャネルから構成されている。
【００２７】
図１は、チャネル１からチャネル１６までの１６個のチャネルが周波数の低い方から順に配置されている場合の例を示す図である。
【００２８】
また図１（ａ）においては、各チャネルを伝送する搬送波（搬送波周波数ｆｃ1、ｆｃ2、ｆｃ3：ｆｃ1＜ｆｃ2＜ｆｃ3）毎に周波数帯域Ｂ１、Ｂ２、Ｂ３を定義した場合の例を示しており、周波数帯域Ｂ１にはチャネル１からチャネル４まで、周波数帯域Ｂ２にはチャネル５からチャネル８まで、周波数帯域Ｂ３にはチャネル９からチャネル１６まで、が含まれている。
【００２９】
さらに、図１（ｂ）においては、各周波数帯域が同じ帯域幅（チャネル数）となるように定義した場合の例を示しており、周波数帯域ｂ１にはチャネル１からチャネル４まで、周波数帯域ｂ２にはチャネル５からチャネル８まで、周波数帯域ｂ３にはチャネル９からチャネル１２まで、周波数帯域ｂ４にはチャネル１３からチャネル１６まで、が含まれる。
【００３０】
尚、周波数帯域の定義としては、上記の例に限られるものではなく、周波数の近接するチャネルを含むように定義すれば、チャネルを伝送する搬送波や含まれるチャネル数が異なっている配置でも良い。
【００３１】
図２は、本実施の形態における基地局装置２００の構成を示す概略ブロック図である。  図３は、本実施形態における端末局装置３００の概略構成例を示す機能ブロック図である。
【００３２】
図２に示すように、基地局装置２００は、制御情報を受ける第１の符号化部２０１、下りリンクデータを受ける第２の符号化部２０２、第１の変調部２０３、第２の変調部２０４、パイロット生成部２０５、マッピング部２０６、周波数時間変換部２０７、ＧＩ（Guard Interval：ガード期間）挿入部２０８、無線送信部２０９、アンテナ部２１０、無線受信部２１１、復調部２１２、復号化部２１３、受信品質情報記憶部２１４、スケジューリング部２１５、パイロット分離部２１６、移動速度測定部２１７、移動速度記憶部２１８を有する。
【００３３】
図３に示すように、端末局装置３００は、アンテナ部３０１、無線受信部３０２、ＧＩ除去部３０３、時間周波数変換部３０４、デマッピング部３０５、第１の復調部３０６、第２の復調部３０７、受信品質測定部３０８、第１の復号化部３０９、第２の復号化部３１０、チャネル選択部３１１、受信品質情報生成部３１２、符号化部３１３、変調部３１４、無線送信部３１５、パイロット挿入部３１６を有する。
【００３４】
次に、基地局装置２００での下りリンクの送信動作について図２を参照しながら説明する。第１の符号化部２０１は、端末局装置３００へ通知する制御情報、およびスケジューリング部２１５による下りリンクのスケジューリング結果であるスケジューリング情報を予め定めた符号化率によって誤り訂正符号化して符号化制御情報を生成し、出力する。第１の変調部２０３は、第１の符号化部２０１で生成した符号化制御情報を予め定めた変調方式で変調して制御情報の変調シンボルを生成し、出力する。
【００３５】
第２の符号化部２０２は、下りリンクで送信する下りリンクデータに対してスケジューリング情報に基づいて誤り訂正符号化を行い、符号化データを出力する。第２の変調部２０４は、第２の符号化部２０２で生成した符号化データをスケジューリング情報に基づいて変調し、下りリンクデータの変調シンボルを出力する。
【００３６】
パイロット生成部２０５は、端末局装置における受信品質測定のために送信信号へ挿入するパロットシンボルを生成し、出力する。
【００３７】
マッピング部２０６は、第１の変調部２０３で生成した制御情報の変調シンボルおよびパイロット生成部２０５で生成したパイロットシンボルを予め定めたマッピング位置（各チャネルの各サブキャリア、およびＯＦＤＭシンボル）へ割り当て（マッピングし）、第２の変調部２０４で生成した下りリンクデータの変調シンボルをスケジューリング情報に基づいて各チャネルの各サブキャリアへ割り当て、送信シンボルを出力する。
【００３８】
周波数時間変換部２０７は、マッピング部２０６が出力した送信シンボルを周波数時間変換、例えば高速逆フーリエ変換（Inverse Fast Fourier Transform：ＩＦＦＴ）してＯＦＤＭの時間信号に変換し出力する。
【００３９】
ＧＩ挿入部２０８は、周波数時間変換部２０７で生成されたＯＦＤＭの時間信号にガード期間ＧＩを付加する。
【００４０】
無線送信部２０９は、ガード期間を付加されたＯＦＤＭの時間信号をアナログ信号へ変換し、無線周波数へアップコンバートして、アンテナ部２１０より端末局装置３００に送信する。
【００４１】
尚、本実施の形態では、第１の変調部２０３から無線送信部２０９（図２の一点鎖線で囲まれた部分）を各周波数帯域または各搬送波に対応してそれぞれ設けている場合の例を示しているが、一括して処理するように構成しても良い。
【００４２】
次に、端末局装置３００での下りリンクの受信動作と、上りリンクでの受信品質情報の送信（通知）動作について図３を参照しながら説明する。
【００４３】
基地局装置２００から送信された信号を、アンテナ部３０１を経て無線受信部３０２が受信し、無線周波数からダウンコンバートし、さらにデジタル信号へと変換し、ＯＦＤＭの時間信号を出力する。
【００４４】
ＧＩ除去部３０３は、ＯＦＤＭの時間信号からガード期間ＧＩを除去し、ガード期間ＧＩを除去したＯＦＤＭの時間信号を出力する。
【００４５】
時間周波数変換部３０４は、ＧＩ除去部３０３から出力されたＯＦＤＭの時間信号を時間周波数変換、例えば高速フーリエ変換（Fast Fourier Transform：ＦＦＴ）することにより、変調シンボルを出力する。
【００４６】
デマッピング部３０５は、予め定めたマッピング位置から下りリンクの制御情報の変調シンボルとパイロットシンボルを、その他から下りリンクデータの変調シンボルをそれぞれ分離し、出力する。
【００４７】
第１の復調部３０６は、デマッピング部３０５から出力された制御情報の変調シンボルを、予め定めた変調方式に基づいて復調し、符号化制御情報を出力する。
【００４８】
第１の復号化部３０９は、第１の復調部３０６で復調した符号化制御情報に対して、予め定めた符号化率に基づいて誤り訂正復号化を行い、下りリンクの制御情報およびスケジューリング情報を出力する。
【００４９】
第２の復調部３０７は、デマッピング部３０５から出力された下りリンクデータの変調シンボルを、第１の復号化部３０９から出力された下りリンクのスケジューリング情報に基づいて復調し、符号化データを出力する。
【００５０】
第２の復号化部３１０は、第２の復調部３０７で復調した符号化データに対して、第１の復号化部３０９から出力された下りリンクのスケジューリング情報に基づいて誤り訂正復号化を行い、下りリンクデータを出力する。
【００５１】
受信品質測定部３０８は、デマッピング部３０５から出力されたパイロットシンボルに基づいて各チャネルの受信品質（ＳＩＮＲ）を測定し出力する。
【００５２】
チャネル選択部３１１は、受信品質測定部３０８から出力された各チャネルの受信品質の測定結果（以下、単に受信品質と記す）の良好なチャネルから、基地局装置２００に受信品質を通知するチャネルを所定数だけ選択し、選択したチャネルを示す選択チャネル情報と選択したチャネルの受信品質を出力する。
【００５３】
受信品質情報生成部３１２は、チャネル選択部３１１が出力した選択チャネル情報と受信品質を基地局装置２００へ通知するための受信品質情報を生成し、出力する。
【００５４】
符号化部３１３は、受信品質情報生成部３１２の出力した受信品質情報に対して、予め定めた符号化率に基づいて誤り訂正符号化を行い、符号化受信品質情報を出力する。
【００５５】
変調部３１４は、符号化部３１３で生成した符号化受信品質情報を予め定めた変調方式に基づいて変調し、受信品質情報シンボルを出力する。
【００５６】
パイロット挿入部３１６は、受信品質情報シンボルにパイロットシンボルを多重し出力する。
【００５７】
無線送信部３１５は、パイロット挿入部３１６でパイロットシンボルを多重した受信品質情報シンボルをアナログ信号へ変換し、無線周波数へアップコンバートして、アンテナ部３０１から基地局装置２００へ送信する。
【００５８】
なお、本実施の形態では、無線受信部３０２から受信品質測定部３０８まで（図３の一点鎖線で囲まれた部分）を各周波数帯域または各搬送波に対応してそれぞれ設けている場合の例を示しているが、一括して処理するように構成しても良い。
【００５９】
また、本実施の形態では、受信品質情報を単独で基地局装置２００へ通知する場合を例にして説明したが、上りリンクデータに多重して、あるいは、上りリンクデータの一部として送信する構成としても良い。このとき、上りリンクデータの符号化率、変調方式に基づいて受信品質情報の誤り訂正符号化、変調を行っても良い。
【００６０】
さらに、本実施の形態では、各端末局装置が受信品質の良好なチャネルから所定数だけ選択した、一部のチャネルのみについての受信品質情報を基地局装置２００へ通知する場合の例を説明した。本発明は、このケースに限られるものではなく、選択数は可変でも良いし、異なる基準によって所定数だけ選択したチャネルに関する受信品質情報を通知しても良いし、各端末局装置が全てのチャネルに関する受信品質情報を通知しても良いし、予め定めた一部のチャネルに関する受信品質情報を通知しても良い。
【００６１】
基地局装置２００での上りリンクでの受信品質情報の受信動作について図２を参照して説明する。
【００６２】
端末局装置３００から送信された信号を、アンテナ部２１０を経て無線受信部２１１が受信し、無線周波数からダウンコンバートし、さらにデジタル信号へと変換し、パイロットシンボルが多重された受信品質情報シンボルを出力する。
【００６３】
パイロット分離部２１６は、多重されたパイロットシンボルと受信品質情報シンボルとを分離し、それぞれ出力する。
【００６４】
復調部２１２は、受信品質情報シンボルを、予め定めた変調方式に基づいて復調し、符号化受信品質情報を出力する。
【００６５】
復号化部２１３は、復調部２１２の出力した符号化受信品質情報を、予め定めた符号化率に基づいて誤り訂正復号化を行い、受信品質情報を出力する。
受信品質情報記憶部２１４は、復号化部２１３の出力した受信品質情報を記憶する。
【００６６】
移動速度測定部２１７は、パイロット分離部２１６で分離されたパイロットシンボルに基づいて、各端末局装置の移動速度を測定し、移動速度測定結果を出力する。尚、移動速度ｖは、パイロットシンボルの時間変動量からドップラー周波数ｆdを推定し、推定したドップラー周波数と搬送波周波数ｆcとから算出する方法（ｖ＝ｃ・ｆd／ｆc、ｃは光速）などによって測定することができる。
【００６７】
移動速度記憶部２１８は、移動速度測定部が出力した移動速度測定結果を各端末局装置について記憶する。
【００６８】
スケジューリング部２１５は、受信品質情報記憶部２１４に記憶された各端末局装置の受信品質情報と、移動速度記憶部２１８に記憶された各端末局装置の移動速度測定結果とに基づいて、各端末局装置宛の下りリンクデータのチャネルへの割り当て、変調方式、および符号化率などを決定し、スケジューリング情報として出力する。尚、スケジューリング部２１５の詳細な動作については後述する。
【００６９】
尚、本実施の形態では、端末局装置の移動速度の測定を基地局装置が行う場合について説明したが、端末局装置において下りリンクの受信信号のパイロットシンボル等から同様の方法で移動速度を測定し、その結果を基地局装置へ通知する構成としても良い。
【００７０】
また、本実施の形態では、下りリンクの制御情報およびスケジューリング情報の誤り訂正符号化の符号化率、変調方式、およびマッピング位置と、パイロットシンボルのマッピング位置、および上りリンクの受信品質情報の誤り訂正符号化の符号化率、変調方式について、予め定めておく場合の例について説明した。但し、別途基地局装置から端末局装置へ通知される信号または情報などに基づいてこれらの情報が特定できるようにしても良い。
【００７１】
図４は、基地局装置２００におけるスケジューリング部２１５の構成の一例を示すブロック図である。
【００７２】
受信品質情報記憶部２１４から出力された各チャネルの受信品質が優先度決定部２４１と割り当て決定部２４２に入力される。また移動速度記憶部２１８から出力された移動速度測定結果が優先度決定部２４１に入力される。
【００７３】
優先度決定部２４１は、各チャネルの属する各周波数帯域の（中心）周波数または搬送波周波数、あるいは各チャネルの（中心）周波数のいずれかと、移動速度測定結果とに基づいて、各端末局装置における各チャネルの割り当て優先度を決定し出力する。その際、該周波数が低い方のチャネルの割り当て優先度が高くなるように決定する。
【００７４】
或いは、優先度決定部２４１は、上記に加えて、前回の割り当て結果において各端末局装置宛の下りリンクデータが割り当てられていたチャネル、またはそのチャネルの属する周波数帯域あるいは搬送波周波数に属する各チャネルの割り当て優先度が高くなるように決定しても良い。このようにすることで、前回各端末局装置宛の下りリンクデータを割り当てたチャネル、または、そのチャネルの属する周波数帯域あるいは搬送波周波数に属するチャネルが選択される確率が高くなり、基地局装置によって各端末局装置へ割り当てられるチャネルや周波数帯域、搬送波周波数の頻繁な切り替えが抑えられ、該切り替えに要する処理の低減や、周辺の他のシステムへ与える干渉の変動の低減が可能となる。
【００７５】
割り当て決定部２４２は、優先度決定部２４１が決定した割り当て優先度を考慮してチャネルの割り当てを決定する。その際、各端末局装置宛の下りリンクデータ量および要求品質（Quality of Service：ＱｏＳ。許容遅延時間、最低伝送レートなど）に基づいて、各端末局装置間の優先順位や割り当てるチャネル数などを決定しても良い。さらに割り当て決定部２４２は、各チャネルの割り当て結果と、割り当てられた端末局装置の該チャネルにおける受信品質情報とに基づいて、各チャネルの変調方式および誤り訂正の符号化率を選択し、チャネルの割り当て結果と各チャネルの変調方式および符号化率の選択結果をスケジューリング情報として出力する。
【００７６】
図８は、ある時刻ｔ0における伝搬路と時刻ｔ0から時間ｔが経過した後における伝搬路との相関と、移動速度と、の関係を示したグラフである。
【００７７】
図８に示すように、移動速度が大きくなるにつれて時刻ｔ0と時刻ｔ0＋ｔにおける伝搬路の間の相関（以下、単に伝搬路相関と記す）は低下し、ある移動速度以上となると無相関となる。さらに、伝搬路相関の低下は、搬送波周波数が高いほど急峻となる。尚、図８においてｆｃ1＜ｆｃ2＜ｆｃ3である。
【００７８】
ある移動速度ｖ1における各搬送波周波数ｆｃ1，ｆｃ2、ｆｃ3に対応する伝搬路相関をｒ11、ｒ12、ｒ13とすると、図８に示すようにｒ11＞ｒ12＞ｒ13となる。また、ｖ2＞ｖ1となる移動速度ｖ2においては、同様に伝搬路相関をｒ21，ｒ22、ｒ23とするとｒ21＞ｒ22＞ｒ23となるが、それぞれの相関値の間の差（比）は異なってくる。
【００７９】
したがって、優先度決定部２４１では、上記の移動速度に対する各搬送波周波数における伝搬路相関の差に基づいて割り当て優先度を決定する。
【００８０】
また、移動速度が十分小さい場合は各搬送波周波数における伝搬路相関に差はなく、移動速度が非常に大きい場合はどの搬送波周波数における伝搬路相関も無相関となるため、これらの移動速度においては各チャネルの割り当て優先度は等しくなるように決定するのが好ましい。すなわち、伝搬路相関に差がないと見なせる十分小さな移動速度を第１の閾値として設定し、同様にどの搬送波周波数でも伝搬路相関が無相関となる大きな移動速度を第２の閾値として設定し、スケジューリング部は、移動速度測定結果が第１の閾値以下、または第２の閾値以上である場合、前記割り当て優先度を全チャネルで等しくするようにする。
【００８１】
尚、上記では搬送波周波数を用いて説明したが、各周波数帯域の（中心）周波数または各チャネルの（中心周波数）で適用しても良い。
【００８２】
図５は、１６個のチャネルからなる下りリンクにおいて、２つの端末局装置Ｔ１とＴ２とに対して、チャネルの割り当てを決定する場合の一例を示す図である。ここで、端末局装置Ｔ１は静止状態（移動速度０ｋｍ／ｈ）、端末局装置Ｔ２は移動状態（例えば移動速度３０ｋｍ／ｈ）であるとする。また、各端末局装置は１６個のチャネルから６個を選択して、その選択した６個のチャネルに関する受信品質情報を基地局装置に通知するものとする。
【００８３】
図５（ａ）は、周波数方向のチャネル配置の一例を示した図である。最も低い搬送波周波数ｆｃ1にチャネル１からチャネル４が属し、中央の搬送波周波数ｆｃ2にチャネル５からチャネル８が属し、最も高い搬送波周波数ｆｃ3にはチャネル９からチャネル１６が属している。以下では、各チャネルの属する搬送波周波数毎にチャネルをグループ化し、そのグループ毎に搬送波周波数に基づいて割り当て優先度を決定する場合の例を説明する。
【００８４】
図５（ｂ）は、各端末局装置が基地局装置へ通知してきた受信品質情報の一例を示した図である。端末局装置Ｔ１（実線）と端末局装置Ｔ２（点線）とが、それぞれ６個のチャネルについて図のような受信品質を通知している様子を示している。
【００８５】
ここで、優先度決定部２４１は、入力された移動速度測定結果（端末局装置Ｔ１は０ｋｍ／ｈ、端末局装置Ｔ２は３０ｋｍ／ｈ）と搬送波周波数に基づいて、各端末局装置の各チャネルについての割り当て優先度を決定する。まず、端末局装置Ｔ１は静止状態であるため、全チャネルの割り当て優先度を等しく「１」とする。端末局装置Ｔ２は移動状態であるため、最も低い搬送波周波数ｆｃ1に属するチャネル１からチャネル４のグループの割り当て優先度を最も高い「１」に、次に低い搬送波周波数ｆｃ2に属するチャネル５からチャネル８のグループの割り当て優先度を「２」に、最も高い搬送波周波数ｆｃ3に属するチャネル９からチャネル１６のグループの割り当て優先度を最も低い「３」に決定する。上記のようにして決定した割り当て優先度が図５（ｃ）である。
【００８６】
割り当て決定部２４２は、図５（ｂ）に示した受信品質情報と図５（ｃ）に示した割り当て優先度から、例えば、以下に示すようにチャネルの割り当てを決定する。尚、ここで、各端末局装置にチャネルを４個ずつ割り当てる必要がある場合を想定する。
【００８７】
（１）端末局装置Ｔ１が受信品質情報を通知してきたチャネルのうちで割り当て優先度  が最も高いチャネル（すなわち通知された全てのチャネル）の中から、受信品質の最も良いチャネルであるチャネル１５を端末局装置Ｔ１に割り当てる。
【００８８】
（２）端末局装置Ｔ２が受信品質情報を通知してきたチャネルのうちで割り当て優先度が最も高いチャネル（すなわちチャネル２とチャネル４）の中から、受信品質の最も良いチャネルであるチャネル２を端末局装置Ｔ２に割り当てる。
【００８９】
（３）（１）と同様にして、端末局装置Ｔ１について、未割り当てのチャネルの中で最も割り当て優先度が高く（チャネル１、４、６、１２）、かつ受信品質の最も良いチャネル６を端末局装置Ｔ１に割り当てる。
【００９０】
（４）（２）と同様にして、端末局装置Ｔ２について、未割り当てのチャネルの中で最も割り当て優先度が高く（チャネル４）、かつ受信品質の最も良いチャネル４を端末局装置Ｔ２に割り当てる。
【００９１】
（５）（１）と同様にして、端末局装置Ｔ１について、未割り当てのチャネルの中で最も割り当て優先度が高く（チャネル１、１２）、かつ受信品質の最も良いチャネル１２を端末局装置Ｔ１に割り当てる。
【００９２】
（６）（２）と同様にして、端末局装置Ｔ２について、未割り当てのチャネルの中で最も割り当て優先度が高く（チャネル８）、かつ受信品質の最も良いチャネル８を端末局装置Ｔ２に割り当てる。
【００９３】
（７）（１）と同様にして、端末局装置Ｔ１について、未割り当てのチャネルの中で最も割り当て優先度が高く（チャネル１）、かつ受信品質の最も良いチャネル１を端末局装置Ｔ１に割り当てる。
【００９４】
（８）（２）と同様にして、端末局装置Ｔ２について、未割り当てのチャネルの中で最も割り当て優先度が高く（チャネル１０）、かつ受信品質の最も良いチャネル１０を端末局装置Ｔ２に割り当てる。
【００９５】
上記の結果に基づいて、チャネルの割り当ては図５（ｄ）のようになる。
【００９６】
割り当て決定部２４２は、さらに、割り当てられたチャネルに対応する受信品質情報に基づいて、割り当てられたチャネルの変調方式と符号化率を選択する。
【００９７】
尚、上記の例では、端末局装置Ｔ１のチャネル割り当てから始めて、端末局装置Ｔ２と交互に１個ずつチャネルを割り当てていくような手順について説明したが、各端末局装置宛の下りリンクデータ量および要求品質に基づいて各端末局装置間の優先順位を決定し、優先順位の高い端末局装置からチャネルの割り当てを行っても良い。
【００９８】
このように、本実施の形態によれば、各端末局装置から報告された受信品質情報に基づいて基地局装置が複数の周波数帯域に配置されたチャネルから各端末局装置へのチャネルの割り当てを決定する際に、各端末局装置の移動速度と、各チャネルが属する各周波数帯域の（中心）周波数または搬送波周波数、あるいは各チャネルの（中心）周波数のいずれかとに基づいて、各チャネルへの各端末局装置の割り当てを決定する。これにより、同じ受信品質のチャネルであっても、各チャネルの周波数に応じたチャネルの変動速度を考慮したチャネルの割り当てが可能となり、より安定性の高い（誤り率特性の良い）下りリンクのデータ通信を実現することができる。
【００９９】
［第２の実施の形態］
次に、本発明の第２の実施の形態による通信技術について説明する。本実施の形態における端末局装置３００の構成は図３と同じである。また、基地局装置２００の構成は図２のスケジューリング部２１５の構成が異なり、その他の構成は同じである。以下、第１の実施の形態と異なる部分について説明する。
【０１００】
図６は、本実施の形態における基地局装置２００のスケジューリング部２１５の構成の一例を示すブロック図である。
【０１０１】
受信品質情報記憶部２１４から出力された各チャネルの受信品質が優先度決定部２４１と重み乗算部２６２とに入力される。また、移動速度記憶部２１８から出力された移動速度測定結果が優先度決定部２４１に入力される。
【０１０２】
優先度決定部２４１は、各チャネルの属する各周波数帯域の（中心）周波数または搬送波周波数、あるいは各チャネルの（中心）周波数のいずれかと、移動速度測定結果と、に基づいて、各端末局装置における各チャネルの割り当て優先度を決定し出力する。その際、この周波数が低い方のチャネルの割り当て優先度が高くなるように決定する。さらに、前回の割り当て結果において各端末局装置宛の下りリンクデータが割り当てられていたチャネル、または、そのチャネルの属する周波数帯域あるいは搬送波周波数に属する各チャネルの割り当て優先度が高くなるように決定しても良い。
【０１０３】
重み算出部２６１は、優先度決定部２４１で決定した各チャネルの割り当て優先度に応じて、各チャネルの受信品質に乗算する重み係数を算出する。重み乗算部２６２は、各チャネルの受信品質に対して、重み算出部２６１で算出した各チャネルの重み係数を乗算し、重み付け受信品質を出力する。
【０１０４】
割り当て決定部２６３は、重み付け受信品質に基づいてチャネルの割り当てを決定する。さらに、割り当て決定部２６３は、各チャネルの割り当て結果と、割り当てられた端末局装置の該チャネルにおける受信品質情報または重み付け受信品質と、に基づいて、各チャネルの変調方式および誤り訂正の符号化率を選択し、チャネルの割り当て結果と各チャネルの変調方式および符号化率の選択結果をスケジューリング情報として出力する。
【０１０５】
図７は、１６個のチャネルからなる下りリンクにおいて、２つの端末局装置Ｔ１とＴ２とに対してチャネルの割り当てを決定する場合の一例を示す図である。ここで、第１の実施の形態における図５の場合と同様に、端末局装置Ｔ１は静止状態（移動速度０ｋｍ／ｈ）、端末局装置Ｔ２は移動状態（例えば移動速度３０ｋｍ／ｈ）であると仮定する。また、各端末局装置は、１６個のチャネルから６個を選択して、その選択した６個のチャネルに関する受信品質情報を基地局装置に通知するものとする。
【０１０６】
図７（ｂ）は各端末局装置が基地局装置へ通知してきた受信品質情報の一例を示した図である。端末局装置Ｔ１（実線）と端末局装置Ｔ２（点線）とがそれぞれ６個のチャネルについて図のような受信品質を通知している様子を示している。
【０１０７】
ここで、優先度決定部２４１は、入力された移動速度測定結果（端末局装置Ｔ１は０ｋｍ／ｈ、端末局装置Ｔ２は３０ｋｍ／ｈ）と搬送波周波数とに基づいて、各端末局装置の各チャネルについての割り当て優先度を決定する。まず、端末局装置Ｔ１は静止状態であるため、全チャネルの割り当て優先度を等しく「１」とする。端末局装置Ｔ２は移動状態であるため、最も低い搬送波周波数ｆｃ1に属するチャネル１からチャネル４のグループの割り当て優先度を最も高い「１」に、次に低い搬送波周波数ｆｃ2に属するチャネル５からチャネル８のグループの割り当て優先度を「２」に、最も高い搬送波周波数ｆｃ3に属するチャネル９からチャネル１６のグループの割り当て優先度を最も低い「３」に、それぞれ決定する。割り当て優先度の決定結果は、図５（ｃ）の示した結果と同じである。
【０１０８】
重み算出部２６１は、上記の割り当て優先度に応じて、図７（ｃ）に示すように、重み係数を算出する。
【０１０９】
重み乗算部２６２は、図７（ｂ）に示す各チャネルの受信品質に対して、図７（ｃ）の重みを乗算し、図７（ｄ）の重み付け受信品質を算出する。
【０１１０】
割り当て決定部２６３は、図７（ｄ）の重み付け受信品質に基づいて、各端末局装置に対してチャネルの割り当てを決定する。例えば、各端末局装置に４個ずつのチャネルを割り当てる必要がある場合には、各端末局装置について重み付け受信品質が良好なチャネルから１個ずつ交互に割り当てを決定する手順は例えば以下のようになる。
【０１１１】
（１）端末局装置Ｔ１が受信品質情報を通知してきたチャネルのうち、重み付け受信品質が最も高い（良好な）チャネルであるチャネル１５を端末局装置Ｔ１に割り当てる。
【０１１２】
（２）端末局装置Ｔ２が受信品質情報を通知してきたチャネルのうち、未割り当てのチャネルの中で最も重み付け受信品質が高いチャネル２を端末局装置Ｔ２に割り当てる。
【０１１３】
（３）端末局装置Ｔ１が受信品質情報を通知してきたチャネルのうち、未割り当てのチャネルの中で最も重み付け受信品質が高いチャネル６を端末局装置Ｔ１に割り当てる。
【０１１４】
（４）端末局装置Ｔ２が受信品質情報を通知してきたチャネルのうち、未割り当てのチャネルの中で最も重み付け受信品質が高いチャネル４を端末局装置Ｔ２に割り当てる。
【０１１５】
（５）端末局装置Ｔ１が受信品質情報を通知してきたチャネルのうち、未割り当てのチャネルの中で最も重み付け受信品質が高いチャネル１２を端末局装置Ｔ１に割り当てる。
【０１１６】
（６）端末局装置Ｔ２が受信品質情報を通知してきたチャネルのうち、未割り当てのチャネルの中で最も重み付け受信品質が高いチャネル８を端末局装置Ｔ２に割り当てる。
【０１１７】
（７）端末局装置Ｔ１が受信品質情報を通知してきたチャネルのうち、未割り当てのチャネルの中で最も重み付け受信品質が高いチャネル１を端末局装置Ｔ１に割り当てる。
【０１１８】
（８）端末局装置Ｔ２が受信品質情報を通知してきたチャネルのうち、未割り当てのチャネルの中で最も重み付け受信品質が高いチャネル１０を端末局装置Ｔ２に割り当てる。
【０１１９】
上記の割り当て基準に基づく割り当ての結果、チャネルの割り当ては図７（ｅ）に示すようになる。
【０１２０】
割り当て決定部２６３は、さらに、割り当てられたチャネルに対応する受信品質情報または重み付け受信品質に基づいて、割り当てられたチャネルの変調方式と符号化率を選択する。
【０１２１】
尚、上記の例では、端末局装置Ｔ１のチャネル割り当てから始めて、端末局装置Ｔ２と交互に１個ずつチャネルを割り当てていくような手順について説明したが、各端末局装置宛の下りリンクデータ量および要求品質に基づいて、各端末局装置間の優先順位を決定し、優先順位の高い端末局装置からチャネルの割り当てを行っても良い。
【０１２２】
このように、本実施の形態によれば、各端末局装置から報告された受信品質情報に基づいて、基地局装置が複数の周波数帯域に配置されたチャネルから各端末局装置へのチャネルの割り当てを決定する際に、各端末局装置の移動速度と、各チャネルが属する各周波数帯域の（中心）周波数または搬送波周波数、あるいは各チャネルの（中心）周波数のいずれかと、に基づいて、各チャネルへの各端末局装置の割り当てを決定する。これにより、同じ受信品質のチャネルであっても、各チャネルの周波数に応じたチャネルの変動速度を考慮したチャネルの割り当てが可能となり、より安定性の高い（誤り率特性の良い）下りリンクのデータ通信が実現できる。
【０１２３】
［第３の実施の形態］
次に、本発明の第３の実施の形態について説明する。本実施の形態では、基地局装置２００と端末局装置３００とが、それぞれアンテナを複数備え、下りリンクにおいて複数の送信モードを切り替えて通信を行うシステムについて説明する。上記送信モードとしては、送信ダイバーシチ、ＭＩＭＯ（Multiple Input Multiple Output：多入力多出力）伝送、などがある。
【０１２４】
端末局装置３００はアンテナを複数備える以外は、図３の場合と基本的に同じである。また、基地局装置２００の構成は、アンテナを複数備える以外は、図２に示す構成と基本的に同じであるが、スケジューリング部２１５に下りリンクの制御情報に含まれる各端末局装置に対する上記の送信モードを示す送信モード情報がさらに入力される。
【０１２５】
本実施の形態におけるスケジューリング部２１５は、上記送信モード情報が送信ダイバーシチを示している端末局装置に対しては、各チャネルの属する各周波数帯域の（中心）周波数または搬送波周波数、あるいは各チャネルの（中心）周波数のいずれかに基づいて、該周波数が低い方のチャネルの中から割り当てられるチャネルがより多くなるように割り当て優先度を決定する。
【０１２６】
また、上記送信モード情報がＭＩＭＯを示している端末局装置に対しては、上記周波数が高い方のチャネルの中から割り当てるチャネルがより多くなるように割り当て優先度を決定する。
【０１２７】
尚、一般的に複数の送受信アンテナを用いて送信モードを切り替えて通信を行うシステムでは、端末局装置の移動速度が速い場合は伝搬路変動が激しいためアンテナ間でのダイバーシチ効果を狙って送信ダイバーシチを送信モードとして選択し、端末局装置の移動速度が遅い場合は高速伝送を狙ってＭＩＭＯを送信モードとして選択する。
【０１２８】
このように、本実施の形態によれば、各端末局装置から報告された受信品質情報に基づいて基地局装置が複数の周波数帯域に配置されたチャネルから各端末局装置へのチャネルの割り当てを決定する際に、下りリンクの送信モードに応じて、各端末局装置の移動速度と、各チャネルが属する各周波数帯域の（中心）周波数または搬送波周波数、あるいは各チャネルの（中心）周波数のいずれかに基づいて、各チャネルへの各端末局装置の割り当てを決定する。これにより、送信モードに応じた適切なチャネルを優先的に割り当てることが可能となり、より効率的な（誤り率特性の良い、または伝送速度の高い）下りリンクのデータ通信が実現できる。
【０１２９】
以上のように上記、各実施の形態では、下りリンクの伝送システムがマルチキャリア伝送システム（特にＯＦＤＭＡ伝送システム）であり、チャネル構成が少なくとも１つのサブキャリアを備えており、受信品質情報の単位がチャネル単位であり、下りリンクの適応スケジューリング（チャネルの端末局装置への割り当て）および適応変調：チャネル毎またはチャネルをさらに時間方向に分割したリソースブロック毎であるセルラーシステムにおいて、受信品質としてパイロットシンボルに基づき算出したＳＩＮＲを用いて本発明を例示的に説明した。
【０１３０】
しかしながら、本発明の適用できる、変調方式、チャネル構成、受信品質情報および適応変調の単位、適応スケジューリング、および受信品質は、上記に限定されるものではない。
【０１３１】
例えば、下りリンクの伝送システムとして拡散技術を用いたＭＣ−ＣＤＭＡ（Multi Carrier-Code Division Multiple Access）システムを、適応変調および適応スケジューリングの単位は、ＭＩＭＯ（Multiple Input Multiple Output）などのＳＤＭＡ（Space Division Multiple Access：空間分割多元接続）において送信アンテナあるいは固有モードが示す複数のチャネル、ＣＤＭＡにおける複数のコードチャネル、あるいは、これらの組み合わせとしてのチャネルなど、複数のチャネルを用いて通信を行なう他のシステムであっても、チャネル毎に受信品質が異なる可能性があるシステムにおいて、本発明を適用することができる。
【０１３２】
また、受信品質としては、
１）ＲＳＳＩ（Received Signal Strength Indicator）、ＳＮＲ、ＳＩＲ（Signal to Interference power Ratio：受信信号電力対干渉電力比）、ＣＮＲ（Carrier to Noise power Ratio：搬送波電力対雑音電力比）、ＣＩＲ（Carrier to Interference power Ratio：搬送波電力対干渉電力比）、ＣＩＮＲ（Carrier to Interference plus Noise power Ratio：搬送波電力対干渉電力および雑音電力比）、など受信信号電力や搬送波電力に関連して受信品質を示す指標、
【０１３３】
２）変調方式とチャネル符号化率の組み合わせであるＭＣＳ（Modulation and Coding Scheme）や伝送レートなどの変調パラメータ等の伝搬路状態に応じて選択された変調パラメータなどの伝送速度にかかわる指標、であれば、特に限定されるものではない。
【０１３４】
また、上記の各実施の形態では、基地局装置と端末局装置とから構成されるＦＤＤ（Frequency Division Duplex：周波数分割複信）を採用する通信システムであり、下りリンクの通信においてＯＦＤＭの適応変調システムを想定し、上りリンクの通信ではＯＦＤＭと適応変調は行わないシステムを想定しているが、これに限定されるものではない。
【０１３５】
さらに、本発明は、複数の無線通信装置のいずれかがスケジューリング機能と適応変調を実施し、他の無線通信装置が受信品質情報送信機能を実施することができる関係にある無線通信装置同士へ適用することができる。
【０１３６】
なお、２つの無線通信装置間で、チャネルの受信品質情報を通知する側（受信品質情報送信機能を有する側）を端末局装置、通知された受信品質情報に基づいて各端末局装置への送信データを各チャネルに割り当て適応変調を行う側（スケジューリング機能を行う側）を基地局装置として説明したが、一つの無線通信装置が両方の機能を有する場合もあり得る。
【０１３７】
本明細書では、無線通信装置は、無線通信を行なう装置であり、例えば、基地局装置、端末局装置、無線機、携帯端末局装置、携帯電話等が含まれる。
【産業上の利用可能性】
【０１３８】
本発明は、通信装置に利用可能である。
【図面の簡単な説明】
【０１３９】
【図１】本発明の第１の実施の形態における通信技術における、下りリンクのチャネルの周波数配置の一例を示した図である。
【図２】本実施の形態における基地局装置の構成を示す概略ブロック図である。
【図３】本実施の形態における端末局装置の概略構成例を示す機能ブロック図である。
【図４】基地局装置におけるスケジューリング部の構成の一例を示すブロック図である。
【図５】１６個のチャネルからなる下りリンクにおいて、２つの端末局装置Ｔ１とＴ２とに対して、チャネルの割り当てを決定する場合の一例を示す図である。
【図６】本発明の第２の実施の形態における基地局装置のスケジューリング部の構成の一例を示すブロック図である。
【図７】１６個のチャネルからなる下りリンクにおいて、２つの端末局装置Ｔ１とＴ２とに対してチャネルの割り当てを決定する場合の一例を示す図である。
【図８】ある時刻ｔ0における伝搬路と時刻ｔ0から時間ｔが経過した後における伝搬路との相関と、移動速度と、の関係を示したグラフである。
【符号の説明】
【０１４０】
２００…基地局装置、２０１…第１の符号化部、２０２…第２の符号化部、２０３…第１の変調部、２０４…第２の変調部、２０５…パイロット生成部、２０６…マッピング部、２０７…周波数時間変換部、２０８…ＧＩ（Guard Interval：ガード期間）挿入部、２０９…無線送信部、２１０…アンテナ部、２１１…無線受信部、２１２…復調部、２１３…復号化部、２１４…受信品質情報記憶部、２１５…スケジューリング部、２１６…パイロット分離部、２１７…移動速度測定部、２１８…移動速度記憶部、３００…端末局装置、３０１…アンテナ部、３０２…無線受信部、３０３…ＧＩ除去部、３０４…時間周波数変換部、３０５…デマッピング部、３０６…第１の復調部、３０７…第２の復調部、３０８…受信品質測定部、３０９…第１の復号化部、３１０…第２の復号化部、３１１…チャネル選択部、３１２…受信品質情報生成部、３１３…符号化部、３１４…変調部、３１５…無線送信部、３１６…パイロット挿入部。
【図１】
2010098525.tif 000003
【図２】
2010098525.tif 000004
【図３】
2010098525.tif 000005
【図４】
2010098525.tif 000006
【図５】
2010098525.tif 000007
【図６】
2010098525.tif 000008
【図７】
2010098525.tif 000009
【図８】
2010098525.tif 000010